(57)【特許請求の範囲】
【請求項１】
本体の前面上部の左右方向の一方の側に運転スイッチを備えた操作部を有し、底板の各四隅近傍に移動用のキャスターを設けてなる除湿機において、
左右方向において運転スイッチ側に位置するキャスターを一方向のみ移動可能な固定キャスターで構成し、この固定キャスターを前記本体の前面とほぼ平行に取り付けるとともに、残りのキャスターを任意方向に移動可能な自在キャスターで構成したことを特徴とする除湿機。
【発明の詳細な説明】
【０００１】
【発明の属する技術分野】
本発明は、主に一般家庭で使用される除湿機に関するものである。
【０００２】
【従来の技術】
主に一般家庭で使用される除湿機は、部屋間を移動したり、取り出し、収納等、本体を移動することが多いため、最近の除湿機には移動用のキャスターを設けているものがある。図５は移動用のキャスターを備えた従来の除湿機の正面図を示す。
図において、１は除湿機の本体、２は本体１の前面上部に設けられた操作部、３は除湿された水を貯めるための排水タンクであり、底板４の上面に着脱自在に装着されている。５は底板４の下面に設けられた任意方向に移動可能な自在キャスターで、底板４の各四隅近傍に４個設けられている。７は操作部２に設けられた運転スイッチであり、操作部２の右側端部に位置して設けられている。
【０００３】
次に、動作について説明する。
除湿機の運転開始および運転停止は、図６に示すように、本体１の前面上部にある操作部２の運転スイッチ７を押圧操作することで、運転スイッチ７がオンオフされ、除湿運転の開始または停止が行われる。また、排水タンク３の満水時には排水タンク３を本体１の底板４上面から前方に引き出して水を捨て、その後は再び排水タンク３を本体１の底板４上面に装着される。本体１を移動する時は、底板４下面に設けられた４個の自在キャスター６が任意方向へ移動可能なため、移動したい方向に押したりあるいは引っぱりることで、本体1を持ち上げることなく、目的の場所まで容易に移動することができる。
【０００４】
【発明が解決しようとする課題】
従来の除湿機は以上のように、４個の自在キャスタ６で本体１が支持されているので、本体１の移動時には任意方向へ自由に移動でき、本体１の移動は容易に行えるが、その反面、図６に示すように、運転の開始時や停止時に運転スイッチ７を押したとき、本体１が後方に動いて逃げてしまい、運端スイッチ７のオンオフがしにくという問題点があった。このため、もう一方の手で本体１を抑えながら運転スイッチ７を押す必性があった。同様に、排水タンク３を本体１の底板４上面から取り出したり、取り出した排水タンク３を再び底板４上面に装着する際にも、本体１が排水タンク３と一緒に動いてしまうので、もう一方の手で本体１を抑えながら排水タンク３の脱着を行う必要があるという問題点があった。
【０００５】
本発明は上記のような問題点を解決するためになされたもので、運転スイッチの押圧時や排水タンクの脱着時の操作性を向上させることを目的としている。
【０００６】
【課題を解決するための手段】
本発明にかかる除湿機は、本体の前面上部の左右方向の一方の側に運転スイッチを備えた操作部を有し、底板の各四隅近傍に移動用のキャスターを設けてなる除湿機において、左右方向において運転スイッチ側に位置するキャスターを一方向のみ移動可能な固定キャスターで構成し、この固定キャスターを前記本体の前面とほぼ平行に取り付けるとともに、残りのキャスターを任意方向に移動可能な自在キャスターで構成したものである。
【０００７】
【発明の実施の形態】
実施の形態１．
以下、本発明の実施の形態１を図に基づいて説明する。
図１は本発明による除湿機の実施の形態１を示す正面図で、図２はその底面図である。
図において、１は除湿機の本体、２は本体１の前面上部に設けられた操作部、３は除湿された水を貯めるための排水タンクで、本体１の底板４上面に着脱自在に装着されている。５は底板４の下面に設けた任意方向に移動可能な自在キャスターで、底板４の左側の二隅近傍に２個設けてある。６は同じく底板４の下面に設けた一方向のみに移動可能なの固定キャスターで、本体１正面に対して横向きに２個設けてある。７は操作部２の右端部に設けられた運転スイッチで、前記２個の固定キャスター６はこの運転スイッチ７側の底板４下面の二隅近傍に設けてある。
【０００８】
次に上記実施の形態１に示す除湿機の動作について説明する。
運転の開始及び停止は、図３に示すように、本体１の前面上部にある操作部２の運転スイッチ７を押圧操作することで行われ、また、排水タンク３満水時における排水タンク３の着脱操作も本体１の底板４上面から前方に引き出して水を捨て、その後は再び排水タンク３を底板４上面に装着するもので、従来と操作はまったく同じである。
本体１を移動する時は、正面方向から見て左側の二隅近傍に設けられている２個の自在キャスター５側を先にして移動すれば、自由に方向転換しながら目的の場所まで移動できるので、本体1を持ち上げることなく、容易に部屋間を移動することができる。
【０００９】
一方、図３に示すように、運転の開始及び停止時に、操作部２の右端部に設けられた運転スイッチ７を押しても、本体１の底板４下面に設けた４個のキャスターのうち、運転スイッチ７側の二隅近傍に位置するキャスターは横方向にしか動かない固定キャスター６のため、本体１は動かず、本体１が後方へ逃げるという従来の問題は解消され、もう一方の手で本体１を抑えながら運転スイッチ７を押すという煩わしい操作が必要なくなる。また、満水時の排水タンク３の脱着操作においても、同様に本体１は前後方向には動かないので、もう一方の手で本体１を抑える必要がなく、従来のものより操作性がすこぶる向上する。
【００１０】
実施の形態２．
図４は本発明の実施の形態２を示す除湿機の底面図である。
この実施の形態２は、運転スイッチ７側の２個のキャスターを１個は自在キャスター５で構成し、もう１個はは一方方向に移動可能な固定キャスター６で構成したものであり、自在キャスター５は全体で計３個使用しているものである。
この実施の形態２に示すように構成しても、上記実施の形態１と同様の効果が得られる。なお、この場合、自在キャスター５と固定キャスター６の配置は特定されず、どちらが前方でどちらが後方になってもよい。
【００１１】
【発明の効果】
以上のように、本発明によれば、本体の移動が容易に行え、かつ運転スイッチの押圧時や満水時の排水タンクの脱着時には本体が前後方向へ動かないので、従来のようにもう一方の手で本体を抑えながら運転スイッチを押圧操作したり、排水タンクの脱着操作しなければならないという煩わしい操作が必要なくなり、操作性の向上を図ることができる。
【００１２】
【図面の簡単な説明】
【図１】  本発明による除湿機の実施の形態１を示す正面図である。
【図２】  本発明による除湿機の実施の形態１を示す底面図である。
【図３】  本発明の実施の形態１における運転スイッチ操作時の説明図である。
【図４】  本発明による除湿機の実施の形態２を示す底面図である。
【図５】  従来の除湿機の正面図である。
【図６】  従来の除湿機における運転スイッチ操作時の説明図である。
【符号の説明】
１  本体、２  操作部、３  排水タンク、４  底板、５  自在キャスター、６固定キャスター、７  運転スイッチ。
【図１】
0003924712.tif 000002
【図２】
0003924712.tif 000003
【図３】
0003924712.tif 000004
【図４】
0003924712.tif 000005
【図５】
0003924712.tif 000006
【図６】
0003924712.tif 000007